(57)【特許請求の範囲】
【請求項１】
容器体口頸部外面へ嵌合させる装着筒３から容器体内へ挿入させるシリンダ５を垂下し、該シリンダ内から、ステム３３下端に筒状ピストン３２を有しかつステム上端にノズル付き押下げヘッド４１を嵌合させた作動部材３１を上方付勢させて起立させ、該作動部材を付勢に抗し押下げして、シリンダ上端に嵌着させた筒状部材５１内面の雌ねじに押下げヘッド４１から垂下するステム嵌合筒４４を螺合させて、作動部材３１を下限位置に保持させた、ポンプ式の液体噴出器において、
上記ステム３３の下端部を下向き段部３４を介して大内径部３５として、該大内径部の外面に筒状ピストン３２を付設すると共に、上記下向き段部３４直上のステム部分をシール筒部分３９として残して、該シール筒部分よりも上方のステム中間部分内面に複数のリブ４０をほぼ等間隔に縦設しておき、
又上記シリンダ５の底部内面の吸込み弁９よりも上方のシリンダ下方部分内面に設けた上向き段部１４上へ載置させて、上部内面に閉塞板２３を有する受筒２１を起立し、該受筒上端部を上記シール筒部分３９内面へ水密にかつ着脱自在に嵌合させると共に、受筒２１上端面を上記リブ４０下端面へ係合させ、又上記閉塞板２３下方の筒壁部分に適当数の窓孔２４を穿設すると共に、受筒下端に外向きフランジ状壁２２を付設しておき、
該外向きフランジ状壁２２上へ下端を、かつステム３３の下向き段部３４に上端を、それぞれ係合させて、第１圧縮コイルスプリング２８を内装させた
ことを特徴とする液体噴出器。
【請求項２】
ステム３３内とステム嵌合筒４４内とが形成する液体流出路上方垂直部に玉弁遊動用空間を長く残して、ステム上部内面に玉弁式の吐出弁３７を設けると共にシリンダ内底部の吸込み弁９を玉弁８で形成しておき、
受筒２１の閉塞板２３中央部から棒２５を垂下して該棒上部と該棒上部側方の受筒筒壁部分内面とを複数のリブ４０でほぼ等間隔に連結し、
又上記棒２５の下部外面へ、弾性変形容易に小径線で形成した第２圧縮コイルスプリング２９上部を嵌合させ、下端を上記吸込み弁の玉弁８の上面へ圧接させた
ことを特徴とする請求項１記載の液体噴出器。
【発明の詳細な説明】
【０００１】
【発明の属する技術分野】
本発明はポンプ式、つまり容器体口頸部外面へ嵌合させる装着筒から容器体内へ挿入させるシリンダを垂下し、該シリンダ内から、ステム下端に筒状ピストンを有しかつステム上端にノズル付き押下げヘッドを嵌合させた作動部材を上方付勢させて起立させ、該作動部材の上下動で容器体内液体をシリンダ内へ、又該シリンダ内液体を上記ノズルから噴出するよう設けた液体噴出器に関する。
【０００２】
【従来の技術】
上記液体噴出器は、作動部材が上方付勢させて起立してあるため、輸送時上方へ突出する作動部材上部が邪魔となることとなり、そのため例えば実開平８−１０５号が示すように、シリンダ上端にねじ付きの筒状部材を嵌着させて、上記作動部材を付勢に抗し押下げして、該作動部材上部を筒状部材内面に設けた雌ねじに螺合させていた。
【０００３】
【発明が解決しようとする課題】
上記液体噴出器の組付け順序として種々の方法が考えられるが、予めシリンダ内へ、押下げヘッドを外した状態で作動部材を挿入させておき、次いでねじ付きの筒状部材をシリンダ上端部へ嵌着し、その後に押下げヘッドから垂下するステム嵌合筒をステム上端部へ浅く嵌合させて、該ステム嵌合筒外面に形成した雄ねじを上記筒状部材内面の雌ねじに螺合することで同時にステム上部をステム嵌合筒内へ深く、確実に嵌合させる方法が考えられ、このようにすることで、上記組付けを手順よく効率的に行うことが出来る。
【０００４】
しかしこのようにするためには、ステムの下降限度を或る位置までとし、該位置まで下降した後は、押下げヘッドの螺降によってステム上部がステム嵌合筒内へ固嵌め状態に嵌入できるよう、シリンダの下部内へ、ステム下端を確実に支持できる受筒を設けることが必要となる。
【０００５】
本発明は上記方法での部品組付けが可能に、ステムの強度を高め、しかも押下げヘッドの螺合完了状態ではステム孔下端が受筒上部で密閉されて、該液体噴出器を液体入り容器体に装着してもそのステムからの液洩れがないよう設けたものであり、請求項２記載の液体噴出器は上記目的を達成できるほか、更に受筒の強度を高めると共に、シリンダの底部内面に設けた吸込み弁の玉弁が弾性変形容易に小径線で形成したコイルスプリングの押圧で弁座へ圧接して、作動部材が有する吐出弁に先だって吸込み弁が閉塞するよう設け、もってシリンダ内からの作動部材上昇時の初期にあっては吐出弁が閉塞するまでの間にノズル内液体がシリンダ内へ吸戻されて、従来のようにノズル内に液体が残ることで生ずる、ノズルからの液垂れを防止できるよう設けたものである。
【０００６】
【課題を解決するための手段】
第１の手段として容器体口頸部外面へ嵌合させる装着筒３から容器体内へ挿入させるシリンダ５を垂下し、該シリンダ内から、ステム３３下端に筒状ピストン３２を有しかつステム上端にノズル付き押下げヘッド４１を嵌合させた作動部材３１を上方付勢させて起立させ、該作動部材を付勢に抗し押下げして、シリンダ上端に嵌着させた筒状部材５１内面の雌ねじに押下げヘッド４１から垂下するステム嵌合筒４４を螺合させて、作動部材３１を下限位置に保持させた、ポンプ式の液体噴出器において、
上記ステム３３の下端部を下向き段部３４を介して大内径部３５として、該大内径部の外面に筒状ピストン３２を付設すると共に、上記下向き段部３４直上のステム部分をシール筒部分３９として残して、該シール筒部分よりも上方のステム中間部分内面に複数のリブ４０をほぼ等間隔に縦設しておき、
又上記シリンダ５の底部内面の吸込み弁９よりも上方のシリンダ下方部分内面に設けた上向き段部１４上へ載置させて、上部内面に閉塞板２３を有する受筒２１を起立し、該受筒上端部を上記シール筒部分３９内面へ水密にかつ着脱自在に嵌合させると共に、受筒２１上端面を上記リブ４０下端面へ係合させ、又上記閉塞板２３下方の筒壁部分に適当数の窓孔２４を穿設すると共に、受筒下端に外向きフランジ状壁２２を付設しておき、
該外向きフランジ状壁２２上へ下端を、かつステム３３の下向き段部３４に上端を、それぞれ係合させて、第１圧縮コイルスプリング２８を内装させた。
【０００７】
第２の手段として上記第１の手段を有すると共にステム３３内とステム嵌合筒４４内とが形成する液体流出路上方垂直部に玉弁遊動用空間を長く残して、ステム上部内面に玉弁式の吐出弁３７を設けると共にシリンダ内底部の吸込み弁９を玉弁８で形成しておき、
受筒２１の閉塞板２３中央部から棒２５を垂下して該棒上部と該棒上部側方の受筒筒壁部分内面とを複数のリブ４０でほぼ等間隔に連結し、
又上記棒２５の下部外面へ、弾性変形容易に小径線で形成した第２圧縮コイルスプリング２９上部を嵌合させ、下端を上記吸込み弁の玉弁８の上面へ圧接させた。
【０００８】
【発明の実施の形態】
１は容器体で、胴部上端から口頸部２を起立する。
上記口頸部外面へは装着筒３が螺合させてあり、該装着筒は上端に内向きフランジ４を付設し、該内向きフランジ４で、容器体内へ垂下したシリンダ５の上部外面へ付設して、パッキング６を介して容器体口頸部上端面へ係合させた外向きフランジ７を、パッキングと共に口頸部上端面との間で挟持している。尚該装着筒とシリンダとは一体成形する場合もあり、この場合は上記内向きフランジ４内端をシリンダ上部外面へ一体に連結する。シリンダ内下端には玉弁８による吸込み弁９を設け、かつ吸い上げパイプ１０を垂下する。
【０００９】
上記吸込み弁直ぐ上方のシリンダ下部部分は斜下内方へのテーパ部分１１を介して小径部１２とし、かつ該小径部内面には複数の縦リブ１３をほぼ等間隔に設けている。これ等縦リブの各上部内面には上向き段部１４を形成し、かつ縦リブ上端は後述筒状部材を上記上向き段部１４へ案内するために下内方への傾斜面を上記テーパ部分１１に連続して形成している。各縦リブ内側面が形成する先端円は玉弁８直径よりやや大とする。尚シリンダ上部壁面には外向きフランジ７下方に位置させて外気吸入孔１５を穿設している。
【００１０】
上記シリンダ５下部内へは受筒２１を嵌合させる。該受筒は、上部をやや小径としたテーパ状筒をなし、その下端外面に外向きフランジ状壁２２を有し、上部内面に閉塞板２３を横設している。又その閉塞板２３下方の筒壁部分には適当数の縦長の窓孔２４を穿設している。閉塞板２３の中央部からは棒２５を筒壁下方まで垂下し、該棒の上部と該上部側方の筒壁部分内面とを複数のリブ２６でほぼ等間隔に連結している。それ等リブ下方の棒部分外面にも細片状の細リブ２７を複数縦設している。該受筒は筒壁下端を既述シリンダ下部内面のリブに設けた上向き段部１４上へ載置させる。
【００１１】
上記受筒２１外面には、下端を外向きフランジ状壁２２上へ載置させて第１圧縮コイルスプリング２８を緩嵌させており、又棒下方部分外面には、弾性変形容易に小径線で形成した第２圧縮コイルスプリング２９上部を嵌合させて、そのスプリング下端を吸込み弁の玉弁８上面へ圧接している。
３１はシリンダ５内から上記第１圧縮コイルスプリング２８で上方付勢されて起立する作動部材であり、該部材は下端に筒状ピストン３２を有するステム３３と該ステム上端に嵌着させたノズル付きの押下げヘッドとで形成する。
【００１２】
ステム３３の下端部は下向き段部３４を介して大内径部３５とし、該大内径部の下端外面に筒状ピストン３２を付設している。又ステム上部のやや下方に玉弁３６による吐出弁３７を設け、該吐出弁の弁座３８から、既述下向き段部３４直上のステム部分で形成したシール筒部分３９までの間のステム部分内面に複数のリブ４０をほぼ等間隔に縦設している。上記シール筒部分３９は下限までステム３３が押下げられたとき、図３のように受筒２１上部が水密にかつ着脱自在に嵌合するよう設ける。その水密性向上のため図示のように凹凸の嵌合部を設けてもよい。又このとき、上記各リブ４０下端面が受筒２１上端面へ係合してリブ付きステム３３の下降を不能とする。更にこのとき第１圧縮コイルスプリング２８上端は上記下向き段部３４により圧縮されるよう設ける。ステム上部は小外径部としている。
【００１３】
押下げヘッド４１はノズル４２を突出し、又その頂壁４３からステム嵌合筒４４を垂下し、上記ステム上部の小外径部外面へ緊密に固嵌できるよう設け、そのステム嵌合筒４４下半外面に雄ねじ４５を有する。ステム嵌合状態において吐出弁３７の玉弁３６上方の垂直な液体流出路部分には玉弁遊動空間が長く形成されるよう、つまり図２の状態から作動部材３１を押下げかつ該押下げ解放で再び或る程度作動部材が上昇したとき、吐出弁が閉じるよう、更に換言すれば、作動部材が押下げ状態から僅かに上昇することでのシリンダ内負圧化で、ノズル内液体が吸戻されたとき吐出弁３７が閉塞するよう、玉弁３６上方空間を長く形成しておく。
【００１４】
上記押下げヘッド４１は、シリンダ上端へ回動不能にかつ抜出し不能に嵌合させたねじ付きの筒状部材５１に螺合させる。該筒状部材は、頂壁５２内周から垂設した内筒５３内面に雌ねじ５４を有し、又頂壁中間部から垂設した中間筒５５と上記内筒５３とでシリンダ上端部を挟持させ、頂壁５２外周から外筒を垂下する。内筒外面とシリンダ上端部内面とには回り止め用としての突条がそれぞれ噛合せて縦設してあり、又中間筒内面とシリンダ上端部外面とには抜け止め突条がそれぞれ周設してある。
既述各部材のうち、装着筒３、シリンダ５、吸上げパイプ１０、受筒２１、ステム３３、押下げヘッド４１、筒状部材５１は合成樹脂材でそれぞれ形成している。
【００１５】
【発明の効果】
本発明は既述構成とするものであり、請求項１記載の発明の場合は、ステム３３の下端部を下向き段部３４を介して大内径部３５とし、該大内径部外面に筒状ピストン３２を付設し、かつ下向き段部３４直上のステム部分をシール筒部分３９として、該シール筒部分上方のステム中間部分内面に複数のリブ４０をほぼ等間隔に縦設したから、又シリンダ５の下方部分内面に設けた上向き段部１４上へ載置させて、上部内面に閉塞板２３を、下端に外向きフランジ状壁２２を、更に閉塞板２３下方の筒壁部分に窓孔２４を、それぞれ有する受筒２１を起立し、更に又上記外向きフランジ状壁２２上へ下端を、上記ステムの下向き段部３４へ上端を、それぞれ係合する第１圧縮コイルスプリング２８を設け、ステム３３押下げ状態で受筒２１の上端部が上記シール筒部分３９内へ水密に嵌合し、かつ受筒上端面が上記ステムのリブ４０下端面へ係合するよう設けたから、ステム３３の上端部へ押下げヘッドのステム嵌合筒４４を浅く嵌合させ、かつ該押下げヘッドを押下げ回してステム嵌合筒４４をシリンダ上端のねじ付き筒状部材５１へ螺合させることで、ステム上端部に対してステム嵌合筒４４を深くかつ確実に嵌着させることができる。又上記ステムのリブ４０下端面を受筒２１上端面との係合面としたから、ステム３３の内径、つまりステム孔の横断面がさほど小さくなることがなく、しかも上記リブによりステムの剛性を高めることが出来る。
【００１６】
請求項２記載の場合は、上記請求項１記載の効果を有するほか、受筒２１の閉塞板中央部から棒２５を垂下して該棒上部とその側方の受筒の筒壁内面とを複数のリブ２６でほぼ等間隔に連結したから、受筒２１の強度を高めることが出来、又ステム３３内とステム嵌合筒４４内とが形成する液体流出路上部に玉弁遊動用としての空間を長く残してステム上部内に玉弁式の吐出弁３７を設けると共にシリンダ内底部の吸込み弁９を玉弁８で形成して、上記棒２５下部に嵌合させた、弾性変形容易に小径線で形成した第２圧縮コイルスプリング２９下端を上記吸込み弁の玉弁８上面へ圧接させたから、その吸込み弁９は、液体噴出操作時において、シリンダ内が加圧され、続いてステムが上昇を開始した後に吐出弁３７が閉塞し、続いてステムが上昇することによるシリンダ内の負圧化で始めて吸込み弁９が開弁することとなり、よってステムが上昇を開始した後、吐出弁３７が閉塞するまでの間のシリンダ内負圧化でノズル４２内に残っていた液体がシリンダ内ないしはステム内に吸戻されることとなり、よって液体噴出終了時においてノズル先端からの液垂れを防止できる。
【図面の簡単な説明】
【図１】本発明液体噴出器の半断面図である。
【図２】作動部材起立状態で示す、図１噴出器の半断面図である。
【図３】図１要部の拡大断面図である。
【符号の説明】
２１…受筒                    ３１…作動部材
３３…ステム                    ４０…リブ
４１…押下げヘッド      ５１…筒状部材
【図１】
0003559390.tif 000002
【図２】
0003559390.tif 000003
【図３】
0003559390.tif 000004